(57)【要約】【課題】はんだ回収装置及び方法の提供。【解決手段】本発明は、再利用される良質なはんだをドロスから回収する装置及び方法を提供する。加熱した容器（１０８）にドロスを投入しながら、インペラ（１１６）等によって攪拌する。回収されたはんだは、好適に熱的に始動されたドレインバルブ（１１８）から排出される。廃棄物は、電動回転軸により容器を反転させることで回収できる。【選択図】図１
2016514199.tif 000002
【特許請求の範囲】
【請求項１】
（ｉ）ドロス投入口と、回収されたはんだが通過できる排出口とを備えたドロス受け容器、
（ｉｉ）前記容器内でドロスを加熱する加熱器、及び、
（ｉｉｉ）加熱されたドロスを攪拌して良質なはんだを残渣から分離させる、前記容器内の攪拌器
を有するはんだ回収装置。
【請求項２】
前記投入口は、前記容器の上部又はその近傍に備えられている、請求項１に記載の装置。
【請求項３】
前記排出口は、前記容器の底部又はその近傍に備えられている、請求項１又は２に記載の装置。
【請求項４】
前記排出口は、残渣を保持しつつ溶融はんだを通過させる濾過器を備える、請求項１〜３のいずれか１項に記載の装置。
【請求項５】
前記攪拌器はスターラである、請求項１〜４のいずれか１項に記載の装置。
【請求項６】
前記スターラはインペラである、請求項６に記載の装置。
【請求項７】
前記インペラは、中心軸から放射状に配置された複数枚のブレードを有する、請求項６に記載の装置。
【請求項８】
前記ブレードは、スクリュー作用をもたらすように傾斜している又はテーパー状である、請求項７に記載の装置。
【請求項９】
前記排出口は、前記容器から排出されるはんだの流れを制御する手段を備える、請求項１〜８のいずれか１項に記載の装置。
【請求項１０】
前記はんだの流れを制御する手段は加熱器であり、該加熱器が始動されると、前記排出口ではんだが溶融して前記容器から流出する、請求項９に記載の装置。
【請求項１１】
前記排出口の下に位置しており、前記容器から溶融はんだを受けるドレイントレーを有する、請求項１〜１０のいずれか１項に記載の装置。
【請求項１２】
囲いを更に有しており、前記容器を傾けてドロスを放出できるように該囲いに対して前記容器が回転可能に据え付けられている、請求項１〜１１のいずれか１項に記載の装置。
【請求項１３】
ドロスからはんだを回収する方法であって、
（ｉ）ドロス投入口と、回収されたはんだが通過できる排出口とを備えた容器にドロスを投入する工程、
（ｉｉ）前記ドロスを加熱する工程、
（ｉｉｉ）前記ドロスを攪拌する工程、及び、
（ｉｖ）所定時間後に前記排出口から溶融はんだを流出させる工程
を含む方法。
【請求項１４】
前記攪拌はインペラを用いて実施される、請求項１３に記載の方法。
【請求項１５】
前記攪拌は、時計回りと反時計回りを交互に繰り返して行われる、請求項１３又は１４に記載の方法。
【請求項１６】
前記容器は２５０〜４００℃に加熱される、請求項１３又は１４に記載の方法。
【発明の詳細な説明】
【技術分野】
【０００１】
本発明は、工業的なはんだ付け方法及び装置に関し、特にドロスからはんだを回収する方法及び装置に関する。
【背景技術】
【０００２】
工業的なはんだ付けでは、加熱したはんだ浴を維持し、はんだ浴の上部からドロスを頻繁に掻き取る必要がある。なお、ドロスは主にスズの酸化物と良質なはんだで構成されている。ドロスは、Ｓｎ−Ｐｂはんだ（鉛はんだ）よりもＳｎ−Ａｇ−Ｃｕ合金（Ｐｂフリーはんだ）において多く発生する。
【０００３】
工業的はんだ付けで回収されたドロスは、かなりの量の使用可能なはんだと、処分すべき酸化カスとを含む。しかしながら、従来のはんだ回収方法では、酸化カスを完全に除去することはできず、また、酸化カスには依然として相当な量のはんだが含まれている。
【０００４】
ドロスからはんだを回収する従来の方法は、ドロスを加熱し、加熱したドロスを攪拌することによるものである。作業員が上部の酸化カスを柄杓で除去してから、その後はんだが回収される。しかしながら、このようなはんだ回収方法では、酸化カスが除去されるだけでなく、使用可能なはんだまでも回収されてしまう。さらに、プロセスが多少なりとも手動であるため、使用者に高度な技能が求められるが、効率は期待されるほどではない。さらに、プロセスを実施する環境は一般的に埃っぽく、作業するには極めて高温であるため、安全性も懸念される。作業は一般的に多大な労働力を要する。最後に、毒性を有しうるフラックスヒュームに作業員が曝されるという重大なリスクがある。
【０００５】
したがって、安全に使用できるだけでなく、ドロスから回収しやすくなるはんだ量の点で効率もよい方法及び／又は装置が求められている。
【０００６】
特許文献１には、るつぼに入れたはんだドロスを溶融させる溶融器、溶融はんだドロスを攪拌して、るつぼ内で溶融はんだドロスを酸化カスと再利用はんだとに上下に分離させる攪拌ユニット、及び、攪拌によって生じた酸化カスを吸引する吸引ユニットであって、るつぼ上部に存在する除去対象の酸化カスを吸引する吸引ユニットを有するはんだ回収装置が開示されている。
【０００７】
特許文献２には、ドロスからはんだを回収する装置及び方法が開示されている。ドロスは、加熱した容器（１）に注がれる。その後、加熱されたドロスがピストン（２１）によって圧縮されて、良質なはんだがドロスから回収トレー（１７）（ドレイントレーともいう）に押し出される。
【先行技術文献】
【特許文献】
【０００８】
【特許文献１】米国特許出願公開第２０１０／１８７７３２号明細書
【特許文献２】国際公開第９５２５８２３号
【発明の概要】
【発明が解決しようとする課題】
【０００９】
本開示の実施形態を少なくとも１つ満たす本開示のシステムの目的として、以下のものが挙げられる。
【００１０】
本開示のシステムは、先行技術の問題点を１つ以上改善すること、又は、少なくとも有用な代替案を提供することを目的とする。
【００１１】
本開示は、従来の方法及び／又は装置を用いて得られるよりも多くの量の使用可能な（良質な）はんだをドロスから回収しやすくすることを目的とする。
【００１２】
本開示はまた、人間の介在及び技能の関わりを最小限に抑えながらドロスからはんだを回収する自動化した装置を提供することを目的とする。
【００１３】
本開示はさらに、安全で使用しやすいはんだ回収方法及び／又は装置を提供することを目的とする。
【課題を解決するための手段】
【００１４】
第一の実施形態によれば、本発明は、
（ｉ）ドロス投入口と、回収されたはんだが通過できる排出口とを備えたドロス受け容器、
（ｉｉ）上記容器内でドロスを加熱する加熱器、及び、
（ｉｉｉ）加熱されたドロスを攪拌して良質なはんだを残渣から分離させる、上記容器内の攪拌器
を有するはんだ回収装置を提供する。
【００１５】
第二の実施形態によれば、本発明は、ドロスからはんだを回収する方法であって、
（ｉ）ドロス投入口と、回収されたはんだが通過できる排出口とを備えた容器にドロスを投入する工程、
（ｉｉ）上記ドロスを加熱する工程、
（ｉｉｉ）上記ドロスを攪拌する工程、及び、
（ｉｖ）所定時間後に上記排出口から溶融はんだを流出させる工程
を含む方法を提供する。
【００１６】
以下、添付の図面に関して本開示を説明するが、本開示はこれらに限定されない。
【図面の簡単な説明】
【００１７】
【図１】本開示の一実施形態に係るはんだ回収装置（はんだ回収装置）を表す模式図である。
【図２】本開示の一実施形態に係る図１のはんだ回収装置のインペラを示す上面図である。
【図３】本開示の一実施形態に係る作動中のはんだ回収装置１００を表す別の模式図である。
【図４】本開示の一実施形態に係る濾過装置を有する図１のはんだ回収装置を表す別の模式図である。
【図５】本開示の一実施形態に係る、はんだ回収後の図１のはんだ回収装置からの残渣の除去を示す。
【図６】本開示の一実施形態に係るはんだ回収装置の傾斜構造を示す実際の画像である。
【図７】本開示の一実施形態に係る図６のはんだ回収装置のインペラを表す実際の画像である。
【図８】本開示の一実施形態に係る、モータと図６のはんだ回収装置のロータシャフトとの連結を示すはんだ回収装置の実際の画像である。
【図９】本開示の一実施形態に係る図６のはんだ回収装置の排出部を示すはんだ回収装置の別の実際の画像である。
【図１０ａ】本開示の一実施形態に係る図６のはんだ回収装置の濾過装置を表す様々な画像である。
【図１０ｂ】本開示の一実施形態に係る図６のはんだ回収装置の濾過装置を表す様々な画像である。
【図１０ｃ】本開示の一実施形態に係る図６のはんだ回収装置の濾過装置を表す様々な画像である。
【図１１】本発明に係る完全なユニットを表す写真である。
【図１２】上記装置の投入ホッパーに供給されたドロスを表す写真である。
【図１３】上記装置の排出口からはんだ回収トレーに流れ込む回収はんだを表す写真である。
【図１４】上記装置の濾過ユニットを表す写真である。
【図１５】濾過ユニットの内部の濾材を示す写真である。
【図１６】ドロスから回収したはんだのインゴット（左側）と、副産物である廃棄酸化物（右側）とを示す。
【発明を実施するための形態】
【００１８】
工業規模のはんだ付けにおいては、加熱したはんだ浴を維持し、はんだ浴の上部からドロスを頻繁に掻き取る必要がある。なお、ドロスは主にスズ及び鉛の酸化物で構成されている。しかしながら、最大で９０％ものはんだがドロスと共に失われてしまう可能性がある。良質なはんだはドロスから回収して再利用可能であるが、従来は単にドロスを加熱することによってなされていた。しかしながら、これは比較的効率が悪い方法であり、経済的な利点もほとんどない。
【００１９】
ドロスは、スズ及び鉛の酸化物（鉛はんだの場合）又は他の金属酸化物（鉛フリーはんだの場合）の硬い外被で良質なはんだが覆われたものからなると理解される。既存の技術においては、ドロスを加熱及び圧縮すると、酸化物硬皮が破裂して液状はんだが放出される。また、はんだ浴から除去されたドロス中に含まれる遊離したはんだがどのようなものでも回収されてしまう。
【００２０】
当該技術分野で公知の改良方法では、ドロスがピストンによって加熱及び圧縮される。これにより、単に加熱する場合と比べて良質なはんだの回収率が高くなる。この手順によれば、利用可能なはんだの回収率を５０〜７５％とすることができる。
【００２１】
驚くべきことに、はんだを圧縮する代わりに、加熱したドロスをインペラ又は攪拌パドル等で適宜攪拌することによって、はんだの回収率を高めることができるだけでなく、製造者の仕様を限度として、回収したはんだの純度も高まることが見出された。本発明の方法によれば、はんだ回収率を６５〜８５％とすることができる。
【００２２】
本開示に係るはんだ回収装置の一例及びドロスからはんだを回収する方法を添付の図面を参照しながら以下に説明するが、これらは本開示の範囲を限定するものではない。以下の説明は単に例示及び図示として提示するものである。
【００２３】
以下、１つ以上の非限定的な実施形態に基づいて本開示の実施形態及びその各種の特徴及び利点を説明する。本開示の実施形態が不必要に分かりにくくならないように周知の部材や処理方法については説明を省略する。本開示で使用した実施例は、単に本開示の実施形態を実施する方法を理解しやすくし、さらに当業者が本開示の実施形態を実施できるようにするためのものである。したがって、実施例は本開示の実施形態の範囲を限定するものとは解釈されるべきではない。
【００２４】
簡潔に言えば、本発明の装置は、ドロス投入口と、回収されたはんだが通過できる排出口とを備えたドロス受け容器、上記容器内でドロスを加熱する加熱器、及び、加熱したドロスを攪拌して良質なはんだを残渣から分離させる、上記容器内の攪拌器を有する。
【００２５】
上記容器（「はんだポット」ともいう）は好適な形状であればどのような形状であってもよいが、典型的には、通常、下端が円錐台状の円柱である。このような構造であれば、攪拌後に容器からはんだを排出しやすくなる。上記容器は好適な材料であればどのような材料で作製されていてもよいが、プロセスで使用される温度に必ず耐えられるものでなければならない。したがって、金属が好ましく、ステンレス鋼がより好ましい。
【００２６】
上記投入口（又は「投入部」）は、通常、容器の上部又はその近傍に備えられており、その結果、ドロスが重力によって容器中に供給される。
【００２７】
上記排出口（又は「排出部」）は、通常、容器の底部又はその近傍に備えられている。これにより、重力の影響下で良質なはんだを容器から排出できる。好ましい一実施形態によれば、良質なはんだを容器から完全に排出しやすいように、上記排出口は円錐台状の容器下部の底部に備えられている。
【００２８】
上記加熱器は、当該技術分野で従来公知の任意の加熱器を使用でき、例えば、容器の内部又は周囲（好ましくは後者）に配置された電気的加熱素子が挙げられる。上記容器は、断熱材で覆うことによって、熱安定性を高め、消費電力を減らすことができ、そうすることが好ましい。ガス噴射等の手段で加熱することもできる。
【００２９】
上記攪拌器は、容器内のドロスを機械的に攪拌できるものが好ましい。垂直につきつぶす動きであってもよく、左右の動きであってもよいが、パドル又はインペラ等、容器内で回転する攪拌器により行うことが好ましい。
【００３０】
特定の実施形態の以下の説明により、本開示の実施形態の一般的性質が充分に明らかとなるため、包括的な概念から逸脱することなく、現在の知識を応用して、これら特定の実施形態を容易に変形し及び／又は様々な用途に適合させることができ、したがって、このような適合及び変形は、開示した実施形態の等価物の意味及び範囲内で理解されるべきもの及びそのように意図されたものである。本開示で使用する表現及び用語は、限定ではなく説明を目的としていると理解されるべきである。したがって、好ましい実施形態として本開示の実施形態を記載したが、当業者には、本開示の実施形態の実施に際して、本明細書中に記載したような実施形態の趣旨及び範囲内において変形を施すことができることが理解されるであろう。
【００３１】
図１は、本開示の一実施形態に係るはんだ回収装置（はんだ回収装置）１００を表す模式図である。本実施形態において、上記はんだ回収装置は、投入部１０２、該投入部１０２と流路が接続された処理部１０４、及び、該処理部１０４と流路が接続された排出部１０６を有する。作動中、投入部１０２、例えばホッパー等、からはんだ回収装置１００にドロスが注がれる。
【００３２】
投入部１０２から、ドロスは処理部１０４へ到達する。一実施形態においては、上記処理部１０４は、囲い１１０で囲われたはんだポット１０８を有する。ドロスが溶融するように高温で加熱されたはんだポット１０８にドロスが到達する。はんだポット１０８内の温度は、はんだ回収装置１００に注がれるドロスの融点によって決定される。一実施形態では、はんだ回収装置１００に注がれたドロスは約２５０〜４００℃の温度に加熱される。しかしながら、例えば硬質はんだを処理するような他の実施形態においては、温度をさらに高くしてもよい。
【００３３】
ドロスが溶融したら、はんだポット１０８内で攪拌する。そのため、はんだ回収装置１００はモータ１１２を少なくとも１つ有することが好ましく、その駆動軸（図８参照）は、ドロスを加熱するはんだポット１０８を貫くロータシャフト１１４と連結されている。はんだポット１０８内のロータシャフト１１４の遠端において、攪拌ブレードを１枚以上有するインペラ１１６がロータシャフト１１４と連結されている。モータ１１２は、ロータシャフト１１４を介してインペラ１１６を時計回り／反時計回りに繰り返し回転させて、ドロスを良質なはんだから分離させる。一実施形態では、交流（ＡＣ）又は直流（ＤＣ）で動作するギヤードモータを使用できる。しかしながら、その目的でのモータの選択によって本開示は何ら限定されない。
【００３４】
ドロスから分離した良質なはんだは、ドレインバルブ１１８を介して排出部１０６から排出される。一実施形態において、上記排出部１０６はファン（図３参照）等の冷却ユニットにより冷却される。さらに、上記排出部１０６は濾過装置（図４参照）を有しており、これによりはんだが濾過された後、はんだは排出部１０６からドレインバルブ１１８を介してインゴットトレー１２０（又はドレイントレー）に移動する。
【００３５】
このようにして、はんだがドロスから分離され、回収される。はんだ回収後のはんだポット１０８内に残ったドロスは残渣である。この残渣は、後述する工程によってはんだポット１０８から除去される。
【００３６】
好ましい一実施形態においては、加熱、攪拌及び排出という一連の工程はコンピュータ又はマイクロプロセッサの制御下で行われる。作業員が容器にドロスを投入した後にマイクロプロセッサ又はコンピュータを起動させ、加熱及び攪拌が適当な速度に制御されることにより、良質なはんだの回収を最適化でき、また、その後のインゴットトレーへのはんだの排出も制御される。
【００３７】
図２は、本開示の一実施形態に係る図１のはんだ回収装置１００のインペラ１１６を示す上面図である。図に示されるように、上記インペラ１１６はモータ１１２（図１参照）を介して時計回り／反時計回りに回転可能であり、それによりはんだポット１０８内に攪拌流及び遠心力が生じる。これらの力及び流れによってはんだがドロスから分離される。一実施形態では、上記インペラ１１６はモータ１１２のロータシャフト１１４と連結されている。本実施形態において、上記インペラ１１６は３枚のブレードを有する。しかしながら、当業者であれば、具体的な設定の要件に応じて、ブレードの枚数を本実施形態で開示した枚数よりも少なくすることも多くすることもできることが理解できるであろう。一実施形態において、上記インペラ１１６のブレードは、ロータシャフト１１４に対してブレードが傾斜した配置となるようにロータシャフト１１４の中心軸からずらして取り付けられている。傾斜している又はテーパー状であることにより、ドロスを効率的に除去できる。一実施形態において、上記インペラ１１６は、スクリューコンベヤ型作用をもたらすようにブレードの傾き方向とは逆方向に回転する。例えば、インペラがロータシャフト１１４に取り付けられた側からロータシャフト１１４の軸に沿って見たとき時計回りの配置となるようにブレードがロータシャフト１１４の左側にずれている場合。ブレードがこのような配置である場合、モータ１１２は逆方向、すなわち反時計回りに回転するように構成される。
【００３８】
図３は、本開示の一実施形態に係る作動中のはんだ回収装置１００を表す別の模式図である。ここで、冷却ユニットはファン３０２として図示され、はんだ回収装置１００の良質なはんだ３０４が排出される排出部１０６の近傍に配置されている。上記ファン３０２は、外部ファンでもよく、はんだ回収装置１００自体に内蔵されたファンでもよい。一実施形態においては、ファン３０２が停止すると、良質なはんだ３０５がドレインバルブ１１８から自動的に流出する。はんだポット１０８内の熱伝導によって、ドレインバルブ１１８からの良質なはんだの流出／停止が制御される。ファン３０２がＯＮ状態で作動している場合、ドレインバルブ１１８から熱が取り除かれ、そのため、ドレインバルブ１１８周辺の温度がはんだポット１０８内のドロスの融点よりも下がる。そのため、良質なはんだ３０４の流出が停止する。ファン３０２がＯＦＦ状態であり、ドレインバルブ１１８周辺の温度がドロスの融点と等しくなると、良質なはんだ３０４がドレインバルブ１１８から流出し始める。好ましい一実施形態においては、ドレインバルブ（１１８）に加熱器（１１９）が添えられる。溶融はんだが規定時間内に出てこない場合、加熱器による加熱が開始される。
【００３９】
図４は、本開示の一実施形態に係る濾過装置４０２を有する図１のはんだ回収装置１００を表す模式図である。図に示されるように、はんだ回収装置１００の排出部１０６は濾過装置４０２を有しており、これにより、排出部１０６を介してはんだ回収装置１００から排出されたはんだを濾過できる。上記濾過装置４０２は、排出部１０６においてドレインバルブ１１８の真上に位置している。一実施形態において、上記濾過装置４０２は、穴あき鋼製円盤と、該穴あき鋼製円盤によって濾過装置４０２内に閉じ込められたステンレススチールウールとを少なくとも有する着脱可能な金網フィルタである（図１０参照）。上記濾過装置４０２は、はんだ回収を数サイクル繰り返した後に取り外して洗浄でき、また、そのライフサイクルが完了したら交換することもできる。そのため、濾過装置４０２にはハンドル４０４が取り付けられており、これにより、はんだ回収装置１００に対して濾過装置４０２を着脱できる。
【００４０】
図５は、本開示の一実施形態に係る、はんだ回収後の図１のはんだ回収装置１００からの残渣の除去を示す。はんだ回収装置１００から良質なはんだを排出した後、はんだポット１０８内に残った残渣を別個のドロス容器５０２中に除去する。そのため、適当な伝動機構と連結された傾斜機構、例えばモータ１１２とは別個のモータ等（図６参照）によってはんだ回収装置１００を傾ける。一実施形態において、上記はんだ回収装置１００を傾けるためのモータは、チェーン・スプロケット構造を介してはんだ回収装置１００と連結されている（図６参照）。上記傾斜用モータが始動されると、チェーン・スプロケット構造を介してはんだ回収装置１００が所定の角度に傾斜することにより、例えば処理対象のドロスをはんだ回収装置１００に最初に注いだ際に使用したのと同じ投入部１０２（すなわちホッパー）等を介してはんだ回収装置１００から残渣が除去される。傾けることに加え、同時にモータ１１２によってインペラ１１６も回転するため、はんだ回収後にはんだポット１０８内に堆積していた残渣がほぼ全て除去される。
【００４１】
容器は回転可能に据え付けることが有利である。プロセスで生じた望ましくない生成物、通常は金属酸化物粉末、を取り出すのが容易になるからである。また、装置の表面積あるいは「設置面積」を最小限にすることもできる。すなわち、占有するスペースが他の装置よりも少なくて済む。
【００４２】
図６〜１０は、一実施形態に係るはんだ回収装置１００並びに上述した該はんだ回収装置１００の各種部材／構成要素を表す実際の画像である。
【００４３】
例えば、図６は、はんだ回収装置１００を傾斜機構６０２が備えられた側から見た実際の画像である。本実施形態において、上記傾斜機構はモータ６０４と連結されたチェーン・スプロケット構造６０２である。
【００４４】
図７は、本開示の一実施形態に係るはんだ回収装置１００のインペラ１１６を表す実際の画像である。上記インペラ１１６は、その軸がロータシャフト１１４の軸に沿うようにロータシャフト１１４と連結されている。
【００４５】
上記インペラは、中心軸から放射状に配置された複数枚のブレードを有することが好ましい。上記ブレードは、スクリュー作用をもたらすように傾斜している又はテーパー状であることが好ましい。各ブレードは、回転時に攪拌作用が高まるように１つ以上のスロットを有することが好ましい。
【００４６】
図８は、本開示の一実施形態に係る、モータ１１２とはんだ回収装置１００のロータシャフト１１４との連結を表す実際の画像である。示されているロータシャフト１１４は、ベルト・プーリー機構８０２を介してモータ１１２と連結されている。
【００４７】
図９は、本開示の一実施形態に係る図１のはんだ回収装置１００の排出部１０６を表す実際の画像である。特に、示されている排出部１０６は、望ましくない熱損失が避けられるように熱保護カバーで囲われている。
【００４８】
図１０は、本開示の一実施形態に係る図１のはんだ回収装置１００の濾過装置４０２を表す様々な画像である。上記濾過装置４０２は円柱状の囲いの形態である。さらに、図に示されるように、ドレインバルブ１１８が濾過装置４０２の一端に取り付けられている。ハンドル４０４が、連結器１００２を介して濾過装置４０２と接続されている。
【００４９】
図１０ｂは、濾過装置４０２の上面斜視図である。図に示されるように、着脱可能な穴あき円盤１００４が濾過装置４０２内に配置されており、これによりドロスをゆっくりと流出させることができる。図１０ｃは、濾過装置４０２の着脱可能な穴あき円盤１００２とスチールウール１００６とを示す斜視図である。スチールウールは穴あき円盤１００４の下に配置され、これによりドレインバルブ１１８から排出されるはんだ中の不純物が取り出される。
【００５０】
図１１は、本発明の一実施形態に係るはんだ回収装置を表す斜視図である。該ユニットの上部には、有害なヒュームを引き出すダクトが示されている。
【００５１】
図１２は、上記装置の投入口又は投入部に投入されたドロスを示す斜視図である。
【００５２】
図１３は、排出口からドレイントレーに流出する回収はんだを示す。
【００５３】
図１４は、スロット付きカバーを有する濾過装置の別の実施形態を示す。図１５は、カバーを取り外した濾過装置の内部の濾材（この場合はワイヤーウール）を示す。
【００５４】
図１６は、回収はんだのインゴットと、金属酸化物の形態のプロセスの副産物とを示す。
【００５５】
このようにして、人間の技能や不必要な労働力を全く伴わずに良質なはんだを最大限回収できる。また、はんだポット１０８が囲い１１０内に配置されているため、はんだ回収のプロセス全体が取扱者にとって安全でもある。
【００５６】
（技術的進歩及び経済的意義）
当該技術の経済的意義を高める本開示のシステムによる技術的進歩として、以下のものが実現される。
（ａ）可能な限り多くの量の良質なはんだをドロスから回収する装置。
（ｂ）ドロスからはんだを回収する費用対効果の高い方法。
（ｃ）人間の介在及び労働力を最小限に抑えながら安全且つ確実にドロスからはんだを回収しやすくする方法及び装置。
【００５７】
本明細書中、「有する」又は「含む」及びその派生形である「有し」若しくは「有している」又は「含み」若しくは「含んでいる」等の用語は、述べられた要素、整数若しくは工程又は要素群、整数群若しくは工程群を含むことを意味すると理解されるが、他の要素、整数若しくは工程又は要素群、整数群若しくは工程群を排除するものではない。
【００５８】
「少なくとも」又は「少なくとも１つ」といった表現は、要素、成分又は数量を１以上使用することを示しているが、これは、実施形態においてそのような使用によって所望の目的又は結果を１つ以上達成できるからである。
【００５９】
本明細書中に含まれる文献、行為、材料、装置、物品等の説明はいずれも当該技術の文脈を説明するためのものに過ぎない。これらのいずれか又は全てが先行技術の基礎の一部を構成していると、あるいは、本願の優先日前に存在していたという理由で当該技術に関する分野の技術常識であったと認めるものではない。
【００６０】
各種の物理的パラメータ、寸法又は数量について記載した数値は概数に過ぎず、本明細書中に特に異なる記載がない限り、該パラメータ、寸法又は数量に割り当てられた数値よりも大きい又は小さい値も開示の範囲内に含まれると想定している。
【符号の説明】
【００６１】
１００  はんだ回収装置
１０２  投入部
１０４  処理部
１０６  排出部
１０８  はんだポット
１１０  囲い
１１２  モータ
１１４  ロータシャフト
１１６  インペラ
１１８  ドレインバルブ
１１９  加熱器
１２０  インゴットトレー（ドレイントレー）
３０２  ファン
３０４  良質なはんだ
４０２  濾過装置
４０４  ハンドル
５０２  ドロス容器
１００２  連結器
１００４  穴あき円盤
１００６  スチールウール
【図１】
2016514199.tif 000003
【図２】
2016514199.tif 000004
【図３】
2016514199.tif 000005
【図４】
2016514199.tif 000006
【図５】
2016514199.tif 000007
【図６】
2016514199.tif 000008
【図７】
2016514199.tif 000009
【図８】
2016514199.tif 000010
【図９】
2016514199.tif 000011
【図１０ａ】
2016514199.tif 000012
【図１０ｂ】
2016514199.tif 000013
【図１０ｃ】
2016514199.tif 000014
【図１１】
2016514199.tif 000015
【図１２】
2016514199.tif 000016
【図１３】
2016514199.tif 000017
【図１４】
2016514199.tif 000018
【図１５】
2016514199.tif 000019
【図１６】
2016514199.tif 000020
【国際調査報告】
2016514199.tif 000021
2016514199.tif 000022